(57)【要約】  ユーザーの身体の少なくとも一部の仮想モデルを生成するためのシステムは、少なくとも一つの獲得ユニット（１）を含み、前記獲得ユニット（１）は、獲得チャンバ（１１）を確定する構造から成り、前記構造は、カメラまたはその他同種の装置などの複数の画像取り込み装置（１２）を含み、前記構造は、複数のパネル（１３）を支えるための一つのフレームを含み、それぞれのパネル（１３）は、前記獲得チャンバ（１１）に面する対応する画像取り込み装置（１２）上に配置され、前記パネル（１３）は、前記獲得チャンバ（１１）を卵形で形成するような方法で配置されることを特徴とするシステム。【選択図】図１
2020524813.tif 000002
【特許請求の範囲】
【請求項１】
ユーザーの身体の少なくとも一部および物体の少なくとも一部の仮想モデルを生成する為のシステムであって、当該システムは、少なくとも一つの獲得ユニット（１）を含み、前記獲得ユニット（１）は、獲得チャンバ（１１）を確定する構造から成り、前記構造は、カメラまたはその他同種の装置などの複数の画像取り込み装置（１２）を含み、
前記構造は、複数のパネル（１３）を支える為の一つのフレームから成り、
それぞれのパネル（１３）は、前記獲得チャンバ（１１）に面する対応する画像取り込み装置（１２）上に配置され、
前記パネル（１３）は、前記獲得チャンバ（１１）を卵形で形成するような方法で配置されることを特徴とするシステム。
【請求項２】
前記パネル（１３）の一部に光源を備えられる、請求項１に記載のシステム。
【請求項３】
前記光源は、前記パネル（１３）の端に配置された発光部材（１３１）から成る、請求項２に記載のシステム。
【請求項４】
少なくとも１つのパネル（１３）には、前記ユーザーとインターフェーシングする為のインタフェースユニット（１７）が設けられる、請求項１に記載のシステム。
【請求項５】
少なくとも１つのパネル（１３）は、前記獲得チャンバ内でユーザーに適切な位置決めを示すのに適した表示部材（１５）が設けられる、請求項１に記載のシステム。
【請求項６】
コントロールユニットが備えられ、前記コントロールユニットは画像取り込み装置（１２）を操作する為ユニットに連通し、前記コントロールユニットには、以下の工程：
ｂ）画像取り込装置（１２）を起動する工程
ｃ）前記ユーザーの仮想テンプレートの生成する工程
を含むロジック・プログラムを実行するように構成された処理手段を備え、工程ｂ）は、獲得チャンバ内でユーザーの適切な位置決めを入手する為、前記ユーザーにインストラクションを生成する工程ａ）の後に進められる、請求項１から５の１つ以上に記載のシステム。
【請求項７】
工程ａ）は次のサブ工程：
ａ１）獲得ゾーンを確定する為に適した形状を生成する工程
ａ２）前記ユーザーの身体の前記形状と前記ユーザーのリアル・タイム画像両方を同時に視覚化する工程を含み、
工程ｂ）は、前記ユーザーの体型画像が前記獲得ゾーン内に含まれるとすぐに自動的に実行される、請求項６に記載のシステム。
【請求項８】
着付けコンパートメントまたはクローゼット（２）が設けられ、コンパートメントは開口（１４）を経由して  前記獲得チャンバー（１１）へ連通し、
前記着付けコンパートメント（２）は、内部バルクヘッド（３）により２つのサブコンパートメント  （２１，２２）に分割され、それぞれのサブコンパートメント  （２１，２２）は、入り口（２１１，２２２）が設けられ、
前記内部バルクヘッド（３）は、その２つのサブコンパートメント（２１，２２）が交互に前記開口（１４）に連通できるような方法で２つの異なる閉位置の間で移動可能である、請求項１から７の１つ以上に記載のシステム。
【請求項９】
前記獲得チャンバ（１１）はフロアプラットホーム（１８）を備えており、前記フロアプラットホーム（１８）は、ユーザーの重量を計測するセンサと前記ユーザーの位置決めの為の表示部材を含む、請求項１に記載のシステム。
【請求項１０】
遠隔ユニットが設けられ、前記遠隔ユニットは、前記ユーザーの仮想テンプレートを記憶する為に前記獲得ユニット（１）に接続されており、
前記遠隔ユニットは、グラフィカルインタフェースを含み、前記グラフィカルインタフェースは仮想テンプレートを取り扱うのに適した機能を操作する為の制御部を含む、請求項１から９の１つ以上記載のシステム。
【請求項１１】
前記獲得ユニットは、前記ユーザーの動作を検知する為の検知ユニットを含む、請求項１から１０の１つ以上に記載のシステム。
【発明の詳細な説明】
【技術分野】
【０００１】
本発明は、ユーザーの身体の少なくとも一部または物体の少なくとも一部の仮想テンプレートを生成する為のシステムに関する。
【０００２】
そのシステムは、少なくとも一つの獲得ユニットを含み、前記獲得ユニットは、獲得チャンバを確定する構造から成り、前記構造はカメラまたはその他同種の装置などの複数の画像取り込み装置を含む。
【背景技術】
【０００３】
上述の構成は、当該技術分野で既知のシステムの一般的な構成であり、前記技術は、ユーザーの身体のあらゆるパラメータも検知し、後に続く分析や、処理などの為に遠隔ユニットへ前記パラメータを記憶できるものである。
【０００４】
そのようなシステムは、最も多様な分野において、特に医学の分野で、広く知られている。
【０００５】
そのようなシステムの例としては、例えば、身体の特定のパラメータを視覚化する為に、又は診断目的の為に、身体のパラメータを検知し、それらを遠隔ユニットへ送信するプローブを含む超音波システムである。
【０００６】
インターネットの使用により、特に医学の分野で、遠隔診断が可能になる範囲まで医者とユーザーとの相互関係の強化を確保する目的で、そのシステム開発が促進されている。
【０００７】
さらに、遠隔診断において、ウェブ・プラットホーム、オンライン・フォーラム及びソーシャルネットワーク上での使用が徐々に見受けられ、ここでユーザーのコミュニティで結果を話し合い、ユーザーのあらゆるスキルおよび能力に基づいてその結果を議論することができる。
【０００８】
そのような開発は、医学の分野だけでなく、ユーザーからのデータを検知し、後に、ネットワーク上の個人または公衆エリアへ、または遠隔ユニットへとデータを記憶できるすべてのシステムにおいて観察される。
【０００９】
たとえこれらのシステムが確立され開発されていても、当該技術分野で既知のシステムは、出願の分野の点、及び獲得ユニットにより収集できるデータのタイプの点の両方においてかなり特異的であるように思われる。
【００１０】
実際に、全体管理を可能にする為に、ユーザーデータのより総合的な視点を提供することができ、およびユーザーが一般的に参加するソーシャル・ネットワーキング・ウェブサイトなどのウェブサイトに統合できるシステムは明らかに存在しない。
【００１１】
さらに、また多数の用途を鑑みて、データ収集システム市場では、様々な使用の要求に応える為に、仮想テンプレート、つまり、より正確な詳細データがあるテンプレートの強化された確定の需要が増加している。
【００１２】
従って、上述のような当該技術分野で既知のシステムでは満たされなかったが、上述のような当該技術分野で既知のシステムの短所を解消できるユーザーの身体の少なくとも一部の仮想テンプレートを生成する為のシステムが必要である。
【００１３】
本発明は、上述のようなシステムを提供することで上述の目的を果たし、前記構造は複数のパネルを支えるフレームを含み、それぞれのパネルは、そのパネル上に配置されている前記獲得チャンバに面し対応する画像取り込み装置を有する。
【００１４】
さらに、そのパネルは、獲得チャンバを卵形で形成するような方法で配置されている。
【００１５】
特定の卵形状は、後に図示されるが、高精度及び詳細解像度を備えた三次元のテンプレートの入手に必要な画像取り込み装置の数を最適化することができる。
【００１６】
実際に、画像取り込み装置は、様々な視点を入手し、かつ、詳細を高める為に異なる平面上にある。
【００１７】
特に、カメラは、カメラの数に関して質を最適化する為に様々な角度から画像を捉えるようにパネル上で固定し配置される。
【００１８】
応用分野にも依存して、ユーザーから正確なテンプレートを入手する能力により、結果として様々な利点がもたらされる。
【００１９】
例えば、ファッションとオンライン・ショッピングの分野を参考にすると、獲得ユニットによる測定の精度により、店舗へ行く必要なく自宅からオンラインでの購入の為に服または衣類のサイズを正しく測ることができる。
【００２０】
不適当なサイズ選択が原因で、オンライン購入アイテムの約３０％がサプライヤーへ返品される現在の推定により示されていることを特に考慮すれば、この特徴は特に有利になる。
【００２１】
また、本発明に係るシステムは、ユーザーがアイテム購入後にアイテムを返品することを防止し、ユーザーのサイズを正当なものとして伝える一方で、ユーザー自身に相応しくないという真の理由を伝えるというものである。
【００２２】
実際、サイズを正確に選択する能力により、結果としてユーザーによるアイテムの返品をサプライヤーが最小限に留められるという利点がもたらされる。
【００２３】
本発明に係るシステムの有利な態様は、ファッションやオンライン・ショッピングだけでなく、医学からビデオゲームの世界まで様々な分野に及ぶ。
【００２４】
いくつかの実施形態の記述から以下に見られるように、本発明に係るシステムにより、各ユーザーのプロファイルを管理する為のプラットフォームの生成が可能になる：実際、仮想テンプレート、つまり獲得ユニットにより生成されたアバターは、ユーザーが利用可能ないかなるデータにも関連づけることができ、様々なソーシャルネットワーク上のユーザーのプロファイルに関するデータと、可能であれば、住所や税法などに関するデータを関連付けられるといったものである。
【００２５】
従って、本発明に係るシステムの目的の１つは、オンライン・サービスやオンライン・ショッピングへのアクセスを容易にする為に、様々なユーザーのプロファイルを管理する為のプラットフォームを提供することである。
【００２６】
その走査プロセスが人間または動物であり得るユーザーの身体に適用できることを留意されたい。
【００２７】
まったく同じ方法で、つまり、本発明に係るシステムの特徴を変更せず、走査プロセスを対象物に適用することができる。
【００２８】
さらに仮想テンプレートの確定を増大させ、かつ、画像取り込み装置の性能を改善する為に、パネルの一部が、光源に有利に設けられる。
【００２９】
画像取り込み装置が、例えばデジタルカメラ、ＳＲＬカメラあるいはビデオカメラといった当該技術分野で既知のあらゆる種類のものであり得ることを留意されたい。
【００３０】
上述の構成の更なる改善に従い、光源はそのパネルの端に配置された発光部材を含む。
【００３１】
例えば、パネルの一部あるいは全ては、その周囲を取り囲むＬＥＤ鋼帯に設けられる。
【００３２】
典型的な実施形態の一部の記述から明白なように獲得チャンバの内部は、ユーザーの身体の画像の取り込みおよび三次元テンプレートの生成全プロセスを最適化する為に、ユーザーへインストラクションを出す為に適したユニットに設けられる。
【００３３】
この為、少なくとも１つのパネルが1つのインタフェースユニットに設けられる。
【００３４】
加えて、改善に従い、少なくとも１つのパネルは、獲得チャンバ内のユーザーの適切な位置決めを示すことに適した表示部材に設けられる。
【００３５】
この構成は、画像取り込み装置を操作する為のユニットと通信するコントロールユニットと有利に組み合せられる。
【００３６】
そのコントロールユニットには、次の工程を含むロジック・プログラムを実行するよう構成された処理手段を有する。
ｂ）画像取り込み装置を起動する工程
ｃ）前記ユーザーの仮想テンプレートの生成する工程
【００３７】
工程ｂは、獲得チャンバ内で自身の適切な位置決めを入手する為のインストラクションを生成する工程ａ）の後に進められる。
【００３８】
これにより、獲得手順を改善することができる：つまり時間の要求が減り、高解像度でユーザーの仮想テンプレートを確実に入手することが出来る。
【００３９】
これら有利な態様は、自動で画像を取り込む工程、すなわちユーザーが最適に位置決めされるとすぐに、画像取り込み装置が自動で起動する工程を設けることによって、更に改善することができる。
【００４０】
この目的を達成する為に、本発明に係るシステムの好ましい実施形態では、工程ａ）は次のサブ工程を含む。
ａ１）獲得ゾーンを確定する為に適した形状を生成する工程
ａ２）前記形状と前記ユーザーの体型のリアル・タイム画像両方を同時に視覚化する工程を含む。ここで、画像取り込み装置を起動する工程はユーザーの体型画像が前記獲得ゾーン内に含まれるとすぐに自動的に実行される。
【００４１】
画像取り込み手順は、詳細解像度を高める為ユーザーの裸体に適用されることが望ましいので、有利なことに、本発明に係るシステムには、着付けコンパートメントが設けられ、そのコンパートメントはその開口部の上流に配置され、かつ、獲得チャンバへのアクセスを可能にする。
【００４２】
好ましい異なる実施形態によれば、着付けコンパートメントは内部バルクヘッドにより２つのサブコンパートメントに分割される。
【００４３】
各サブコンパートメントには入り口があり、内部バルクヘッドは、２つのサブコンパートメントが交互に開口を連通できる方法で、２つの異なる閉位置の間を移動可能である。
【００４４】
上述の着付けコンパートメントの構成により、２つのサブコンパートメントでほとんど同時に衣服を着脱するユーザー二人による単一の獲得ユニットの使用を早めることができる。
【００４５】
この様態は、ユーザーが短時間で仮想化されるのを可能にする為、獲得時間の短縮と組み合わせると特に有利である。
【００４６】
仮想テンプレートの詳細を改善し、獲得プロセスにより多くの情報を得る為に、本発明のシステムの改善に従い、前記獲得チャンバは、フロアプラットホームに設けられており、そのフロアプラットホームは、ユーザーの重量を計測するセンサとユーザーの位置を示す表示部材を含む。
【００４７】
重量測定値は、生成されるユーザーのプロファイルにこの値を関連付ける為に、後述する遠隔ユニットに有利に記憶され得る。
【００４８】
上述のシステムにより確かなユーザーデータ管理プラットフォームの生成が可能になることは明らかであり、そのプラットフォームの特徴を以下に例示し記述する。
【００４９】
ユーザーデータ管理プラットフォームを入手する為に、結果として生じる仮想テンプレートを要求通りに変更あるいは管理できるよう、対応するユーザーが記憶する必要がある。
【００５０】
したがって、本発明に係るシステムは、都合が良いことに遠隔ユニットを含み、
その遠隔ユニットはユーザーの仮想テンプレートを記憶する為の獲得ユニットに接続されている。
【００５１】
遠隔ユニットは、グラフィカルインタフェースを含み、そのグラフィカルインタフェースは仮想テンプレートを取り扱うのに適した機能操作の為の制御部を含む。
【００５２】
最終的に、更なる実施形態によれば、その獲得ユニットはユーザーの動作を検知する為の検知ユニットを含む。
【００５３】
その探知ユニットは、その獲得ユニット内に内蔵され得る、あるいは、その獲得ユニットは、前記検知ユニットへ接続する為の手段を含み得る。
【００５４】
この検知ユニットにより、４Ｄテンプレートの入手が可能になり、および、その４Ｄテンプレートは、Ｋｉｎｅｃｔ，  ＲｅａｌＳｅｎｓｅ、Ｍｏｔｉｏｎ  Ｃａといったユーザーの動作をリアル・タイムで検知できる既知のテクノロジーに基づく場合がある。
【図面の簡単な説明】
【００５５】
本発明に係るこれらおよび他の特徴及び利点は、添付図面に例示されている特定の実施形態の下記記述より明示される。
【図１】本発明に係るシステムの獲得ユニットの図を示す。
【図２】獲得ユニットの獲得チャンバの詳細を示す。
【図３】ａおよびｂは、本発明に係るシステムの特定された実施形態についての２つの図を示す。
【図４】本発明に係るシステムの更なる実施形態を例示する。
【図５ａ】本発明に係るシステムで実行されるような、仮想テンプレートの生成の為のプロセスの典型的で一般的なスクリーンショットの一部を例示する。
【図５ｂ】本発明に係るシステムで実行されるような、仮想テンプレートの生成の為のプロセスの典型的で一般的なスクリーンショットの一部を例示する。
【図５ｃ】本発明に係るシステムで実行されるような、仮想テンプレートの生成の為のプロセスの典型的で一般的なスクリーンショットの一部を例示する。
【図５ｄ】本発明に係るシステムで実行されるような、仮想テンプレートの生成の為のプロセスの典型的で一般的なスクリーンショットの一部を例示する。
【図６】本発明に係るシステムのグラフィカルインタフェースの図を示す。
【発明を実施するための形態】
【００５６】
本出願に添付される図は、本発明に係るシステムの有利な特徴を深く理解する為に示されていることを留意されたい。
【００５７】
したがって、これら実施形態は、単なる例示として解釈されるものであり、本発明に係るシステム及び方法の発明概念を限定するものではない。
【００５８】
さらに、本明細書に例示された典型的な実施形態はユーザーの身体を示すと一方で、
本発明に係るシステムは、対象物同様にユーザーおよび動物の身体の一部に仮想テンプレートを得ることができるということが明らかである。
【００５９】
実際に、上述より、ユーザーの要求に応じる為本発明に係るシステムは、修正できることが明らかである。
【００６０】
したがって、本発明に係るシステムの目的は主に、ユーザーがインターネットで利用可能なサービスへのアクセスを獲得し、前記プラットフォームを介して、ユーザープロファイル管理プラットフォームを提供することであり、かつ、様々な活動を実行する為の本発明に係るシステムに従い生成されるようなユーザーの身体の仮想テンプレートが利用できる。
【００６１】
特に図１示されるように、本発明に係る仮想テンプレートを生成する為のシステムは、少なくとも一つの獲得ユニット（１）を含み、その獲得ユニット（１）は、獲得チャンバ（１１）を確定する構造から成り、前記構造はカメラまたはその他同種の装置などの複数の画像取り込み装置（１２）を含む。
【００６２】
特に、前記構造は複数のパネル（１３）を支える一つのフレームを含み、それぞれのパネル（１３）は、その獲得チャンバ（１１）を卵形で形成する方法で配置される。
【００６３】
図１は、パネル（１３）の外面の外被が示されているように、卵型の獲得チャンバ（１１）を明白に示されている。
【００６４】
特に、獲得ユニット（１）のパネル（１３）は、様々な傾斜でサポートフレーム上に配置されている：パネル（１３）のそれぞれは、少なくともＸ、Ｙ及びＺのデカルト座標値システムに関する一方向に沿って、残りのパネル（１３）に対して異なる傾斜を有する。
【００６５】
したがって、卵型は、パネル（１３）のそういった特定の配置が生み出された直接の結果である。しかし、この形状は、本発明に係るシステムの実施に必須ではない。
【００６６】
獲得ユニット（１）も、開口（１４）に設けており、その開口（１４）により、以下に詳述する仮想テンプレート生成プロセスを開始する為にユーザーがエントリ（Ｅｎｔｒｙ）できる。
【００６７】
獲得手順中に、開口（１４）は、当該技術分野で既知のいかなる方法でも閉じることができる。しかし、図に示されていないが、カーテンといった手段を使うことが好ましい。
【００６８】
したがって、そのサポートフレームは、卵形を形成するような方法でそれぞれのパネル（１３）を支える：この形状は、獲得ユニット（１）の垂直軸に対して並列なリング上にパネルを配置することにより得られる。
【００６９】
１つのリングに属するパネル（１３）すべては、その垂直軸に対して同一の傾斜が有るが、他のリングに属するパネル（１３）対して異なる傾斜を有するように、それぞれのリングの直径は様々である。
【００７０】
そのパネル（１３）は、卵型の形成を可能とする限り、形状とサイズが異なる場合がある。
【００７１】
図１に示される例によれば、パネル（１３）の形状は、長方形かまた台形であり、および、その中心に画像取り込み装置（１２）が配置されている。
【００７２】
補足的に、パネル（１３）には画像取り込み装置（１２）を有する必要はなく、画像取り込み装置（１２）は、装置（１２）の数と三次元のテンプレートの質との間で最良のバランスが得られるような方法で、配置される。
【００７３】
それぞれのパネル（１３）が他のパネル（１３）に対して異なる傾斜を有するパネル（１３）の特定の配置は、対応する焦点を合わせたそれぞれのカメラを接続する架空の線に所定の角度を持たせる方法で実現できる。
【００７４】
したがって、有利なことに、パネル（１３）は、対応する焦点を合わせた所定のカメラを繋ぐ架空の線が、所定のカメラを有するものに近隣のあるいは最も近い位置にあるパネル（１３）上に配置されるカメラに関係づけられる線に対して２５°から５０°の範囲の角度で傾けられるように配置されている。
【００７５】
それぞれのパネル（１３）は、図２に例示されるように，隣り合うパネルから、パネル（１３）の周囲を囲み、かつ、ＬＥＤ鋼帯（１３１）から成る光源に有利に設けられたスペースによって分けられている。
【００７６】
加えて、図２は好ましい実施形態に係る獲得ユニット（１）内に備わっている２つのパネル（１３）の詳細を示す。
【００７７】
図２に関して、最上部のパネル（１３）には、獲得チャンバ（１１）内の適切な位置決めをユーザーに示すのに適した表示部材（１５）が設けられている。
【００７８】
その獲得チャンバ内でユーザーが適切な姿勢を維持する為に、表示部材（１５）は、ユーザーの身長に基づく基準点をユーザーに示す1つそれ以上のライトから成ることが望ましい。
【００７９】
さらに、最上部のパネルにはまた、ユーザーの存在を検知し、獲得手順を始めるセンサ（１６）が備わってもよい。
【００８０】
以下に見られるように、獲得手順はインタフェース（１７）とユーザーの間の相互関係を通じて生じる。
【００８１】
インタフェース（１７）は、獲得手順を踏んでいる間に実行される様々なインストラクションをユーザーに示すスクリーン（１７）から成ることが望ましい。
【００８２】
さらに、獲得チャンバ（１１）にフロアプラットホーム（１８）が備わっており、そのフロアプラットホームは、図には示されていないが、ユーザーの体重を測量するセンサと、ユーザーの位置決めを示す表示部材を含む。
【００８３】
特に、これら表示部材は、ユーザーの足の位置決めの為にフロア上の手掛かり（Ｃｌｕｅ）に関係する。
【００８４】
表示部材に加えて、フロアプラットホーム（１８）は、ユーザーの位置を示し、かつ、定め、および、画像を取り込む為の最良の条件を達成する為に、獲得チャンバ（１１）内の光度を増大させるのに適した付加的な光源を含む。
【００８５】
ユーザーの測量性能に加えて、典型的な実施形態によると、その獲得ユニットは、ユーザーからの生物測定パラメータを感知する為に適した装置を含む。
【００８６】
その生物測定パラメータ感知装置は、獲得ユニット内に内蔵され、あるいは、その獲得ユニットは、追加の生物測定パラメータ感知装置と通信するのに適した通信手段を備える場合がある。
【００８７】
この異なる実施形態は、システムで利用可能なデータ量を増やし、仮想テンプレート生成の精度を高めることができる。
【００８８】
さらに、生物測定パラメータ感知装置が心電計または血圧メーターを含む場合、例えば、本発明に係るシステムにより生成された仮想テンプレートは、ユーザーの体調により変動する場合があり、それは医学やスポーツの両方の分野において特に貴重である。
【００８９】
図３のａと図３のｂは、獲得ユニット（１）の好ましい実施形態における図を示す。
【００９０】
これらの実施形態によれば、着付けコンパートメント（２）が、獲得チャンバ（１１）に連通するように、開口（１４）にある獲得ユニット（１）に取り付けられる。
【００９１】
図３のａに示されるように、着付けコンパートメントは、内部バルクヘッド（３）により、２つのサブコンパートメント（２１）および（２２）に分割される。
【００９２】
サブコンパートメント（２１）および（２２）それぞれは、入り口（２１１）および（２２２）を有している。
【００９３】
その内部バルクヘッド（３）は、２つのサブコンパートメント（２１）および（２２）が交互に開口（１４）で連通するような方法で２つの異なる閉位置の間で移動可能である。
【００９４】
特に、内部バルクヘッド（３）は、着付けコンパートメント（２）の壁にヒンジ連結され、および、図３のａに示されるように、内部バルクヘッド（３）が回転する時、その内部バルクヘッドは開口（１４）の端に当接する。
【００９５】
その為、図３のａの構成によれば、内部バルクヘッド（３）は、入口（２２２）に入るユーザーが、獲得手順を踏む前または後に、そのサブコンパートメント（２１）において衣服を着脱する別のユーザーを横切り、または、目にすることなくその獲得チャンバ（１１）へアクセスできるような方法でサブコンパートメント（２１）を閉じる。
【００９６】
図４は、着付けコンパートメント（２）の更なる典型的な実施形態を示す。
【００９７】
この場合、そのサブコンパートメント（２３）及び（２５）は対応する開口通って外部に通過し、かつ、更なる対応する開口を通ってサブコンパートメント（２４）へ連通するような方法で、着付けコンパートメント（２）は、３つのサブコンパートメント（２３）（２４）および（２５）に分けられる。
【００９８】
各ユーザーは、サブコンパートメント（２４）を通って獲得ユニット（１）の開口（１４）へアクセスでき、サブコンパートメント（２４）は、サブコンパートメント（２３）および（２５）にしか連通しておらず、外部へは直接連通していない。
【００９９】
再度、図３のａおよび図３のｂの着付けコンパートメントの場合になるが、ユーザーが代わりにサブコンパートメント（２４）へアクセスし、一人ずつが獲得ユニット（１）へ一度に入ることができ、それによって各ユーザーのプライバシーを確保できる。
【０１００】
サブコンパートメント２つのうち１つが、一度にサブコンパートメント（２４）と連通することを可能にする一方で、他のサブコンパートメントとサブコンパートメント（２４）の連通を妨げるような方法で、サブコンパートメント（２３）と（２５）に対して機械仕掛けの開口手段も備えることもできる。
【０１０１】
獲得手順の記述より明白になるように、その獲得ユニット（１）はユーザーの仮想テンプレートを記憶する為の遠隔ユニットに接続され得る。
【０１０２】
例えば、遠隔ユニットが、スマートフォンといったサーバー、ワークステーションおよび携帯用の装置であっても良い。
【０１０３】
しかしながら、その遠隔ユニットは仮想テンプレートの取り扱いに適した機能を操作する為の制御部を備えるグラフィカルインタフェースを有することが望ましく、その一例は図６に例示されている。
【０１０４】
本発明に係るシステムはまた、１より多くの獲得ユニットから構成し得る。その獲得ユニットは、異なるユーザーの走査を容易にするように異なる場所に設置され得る。
【０１０５】
明らかに、獲得ユニットすべては、ユーザーに関連する仮想テンプレートおよびアバターのコミュニティを生み出せるような単一の遠隔ユニットに接続され、各アバターは、管理プラットフォームにより管理される。
【０１０６】
その獲得ユニット（１）は、そのユニットの下部に外面的に取り付けられた車輪などの、獲得ユニット（１）を、容易に動かす事ができる手段も含み得る。
【０１０７】
最後に、図３のｂに例示されている認証手段（１９）を設けることができ、その認証手段は、認証されたユーザーが、図１の獲得チャンバまたは図３のａと図４の着付けコンパートメント（２）に入るユーザーを認証するのに適している。
【０１０８】
そういった認証手段（１９）は、図５ａに示されるように、獲得手順の初めに使用され得る。
【０１０９】
特に、図５ａは、ユーザーが確実にアクセスできるようモバイル・デバイスまたは認証手段（１９）のいずれかにインストールされ得るソフトウェアアプリケーションの一部のスクリーンショットを示している。
【０１１０】
工程（１００）でユーザーが登録ユーザーである場合、ユーザーネームとパスワードを入力し、獲得チャンバ（１１）へアクセスする。
【０１１１】
ユーザーが登録ユーザーでなければ、ユーザーネームとパスワードを入手する為に、既存の種類のフォームを記入することによって自身を登録する。
【０１１２】
一旦ログインすれば、ユーザーは獲得手順（１０６）（１０７）を開始することができる。
【０１１３】
自動的に、つまり、ユーザーネームおよびパスワードを入力することなく、アクセスできることに留意されたい。
【０１１４】
例えば、固有にユーザーを特定し、かつ、即座のアクセスを入手する為に使用可能なＱＲコード（登録商標）およびバーコードを設けることができる。
【０１１５】
図５ｂから図５ｄは、典型的な獲得手順を例示している。
【０１１６】
予想されるように、獲得手順はインタフェース（１７）を通してユーザーへ視覚化される所定のインストラクションに従うことが望ましい場合がある。
【０１１７】
インタフェース（１７）は、センサ（１６）がユーザーの存在を検知するとすぐに起動され得る。
【０１１８】
そのインタフェース（１７）は、インストラクションの生成を通して、その獲得手順を実行するようにプログラムされたコントロールユニットにより制御されることが望ましい。
【０１１９】
また、これらのインストラクションは当然音響的であり得る。
【０１２０】
図５ｂ、図５ｃ、図５ｄのスクリーンショットから明白なように、これらのインストラクションは、獲得の精度を上げる為に、維持すべき様々な姿勢だけでなく、ユーザーの手足の位置決めに関連する。
【０１２１】
ユーザーに与えられるインストラクションは以下の通りである。
−開口（１４）がその対応するカーテンにより適切に閉じられていることを確認する。（２０２）
−足が適切な位置にあることの確認。（２０３）
−参照番号（２０４）に表示されるような、獲得ゾーンを確定するのに適した形状の生成、および、前記形状とユーザーの身体のリアル・タイム画像の同時の両方を視覚化。
【０１２２】
後述されるように、その形状は、ユーザーへのインストラクションに適した（オーディオビデオ）学習を表わす場合がある。
【０１２３】
この方法で、ユーザーはフィードバックを受け取り、ユーザーの身体が獲得ゾーン内に含まれるとすぐに、そのシステムはまた、仮想テンプレートを入手する目的で異なった画像取り込み装置を自動的に起動することができる。
【０１２４】
自動起動は、使用中の装置の種類に基づく異なるモードに従い、ソフトウェアアプリケーションを取り扱う画像取り込み装置を介して行うことができる。
【０１２５】
ＳＬＲレフカメラの場合、画像取り込みソフトウェアアプリケーションが、その管理の為に特定のライブラリを利用する。特に、そのソフトウェアアプリケーションにより、同時に管理すべき複数のカメラを設定することができる。
【０１２６】
そのソフトウェアアプリケーションのロジックは、カメラ１台につき実行される画像取り込みとダウンロードスクリプトを利用する。そのダウンロードスクリプトは以下のタスクを実行する。
−カメラの状態（動作、露出、ＩＳＯなど）の確認をカメラへ要求
−カメラの時計の同期
−完全に同期達成する為に計算された遅延を備えた画像の取り込み
【０１２７】
代わりとして、その画像は、ビデオカメラなどの産業センサの利用により取り込みことができる。
【０１２８】
画像取り込みソフトウェアアプリケーションは、その管理の為に特定のライブラリを使用する。特に、そのソフトウェアアプリケーションにより、同時に管理すべき多数のセンサの設定を同時に管理することができる。
【０１２９】
そのソフトウェアアプリケーションのロジックは、全てのカメラに対して同時に実行される画像取り込みとダウンロードスクリプトを利用し、カメラは、継続的に取り込みモードに入る。
【０１３０】
図５ｂから図５ｄで示される異なる実施態様によれば、仮想テンプレートの生成は下記追加の工程により進めることができる。
−参照符号（２０５）、（２０６）及び（２０７）に示されるように、ユーザーの頭及び手の位置を確認する工程。そのユーザーは、自身の手の維持の仕方（２０６）、及び自身の頭の向け方（２０７）（この場合上述の参考部材１５の補助により）を指示される。
−身体の画像がその獲得ゾーン内（２０８）に含まれることを確認する工程。
−画像取り込み装置を起動する工程（２０９）と（２１０）。
【０１３１】
最後に、図２ｄで示される実施形態によると、ユーザーがその仮想テンプレートの生成用にどの画像を使用すべきか選択できるように（２１５）、別の画像を取り込むことが可能である（２１１）−（２１４）。
【０１３２】
一度全てのインストラクションに従えば、その獲得ユニット（１）は走査プロセスを行い、また、そのシステムは、写真測量アルゴリズムの例などの、当該技術分野で既知の共通のアルゴリズムの使用と共に三次元のテンプレートを生成する。
【０１３３】
上述より、本発明に係るシステムの特徴にもよるが、このシステムにより仮想テンプレート生成プロセス全体が、ユーザーの登録から最終の仮想テンプレート生成まで自動化されることが可能になることが明らかである。
【０１３４】
この自動化は、獲得チャンバ（１１）内のユーザーの特定の姿勢を認識した後で画像取り込み装置の起動によって達成される。
【０１３５】
ユーザーの手や顔を形作るように意図されたカメラは、残りのカメラより高い解像度で備えた画像を取り込み可能であることが想定され得る。
【０１３６】
典型的な実施形態によれば、上述の光源の光度を調節する為の手段が提供される。
【０１３７】
この調節手段は、カメラが画像取り込み成功率を高める為に、獲得チャンバ（１１）の状態に応じて光度を設定する為に使用可能である。
【０１３８】
したがって、調節手段は手動で制御することができる。
【０１３９】
あるいは、この調整手段は自動的に制御することができる。例えば、画像取り込み手順中に獲得チャンバ（１１）内の光度を変更する為の制御ユニットにより操作できる。
【０１４０】
この場合、獲得チャンバ（１１）内の光度の検知に適したセンサを含むフィードバック・システムを設けることができる。
【０１４１】
したがって、システム全体は、ユーザーへインストラクションを与え、カメラを操作するだけでなく、操作の要求に従い光度を調節するコントロールユニットにより調整することができる。
【０１４２】
例えば、ユーザーが獲得チャンバ（１１）の内部に入ることは想定できる。重量センサまたは存在のセンサは、ユーザーの存在を検知し、コントロールユニットはユーザーにインストラクションを与え、適切に測定すべきユーザーの身長が測定され、かつ、必要な画像が取り込まれることを可能にするのに十分な光度を入手できるよう、その光源を操作する。
【０１４３】
画像取り込み手順中に、その光度のレベルは、ユーザーの位置、ユーザーの衣服、また／あるいは獲得チャンバ（１１）の一般的な状態により明らかにし得る。
【０１４４】
本発明に係るシステムでは、システムが下述される特徴に従い、後に走査画像を処理できるよう、ユーザーが任意の種類の取り込みシステムにより取り込まれた自身の身体の走査画像をロードすることができることも想定され得る。
【０１４５】
この時に、それぞれのユーザーは自身のプロファイルを通して自身の三次元テンプレートを管理できる。
【０１４６】
有利なことに、４Ｄの特徴を有し、すなわち、時間をパラメータとして加えることができる。例えば、この特徴は、ＫｉｎｅｃｔまたはＲｅａｌＳｅｎｓｅといった既知の技術を併用しながら、活かすことができる。前技術により、ユーザーの動きや身振りをリアル・タイムで取り込み、対応する仮想テンプレートと関連づけることができる。
【０１４７】
図６に例示されている典型的な実施形態で示されるように、ユーザーのテンプレートまたはアバターの管理は、グラフィックインタフェースを実行することで容易に達成することができる。
【０１４８】
図６は、ユーザーが自身のアバターを管理できるグラフィカルインタフェースの典型的な実施形態を示しており、この図から、本発明に係るシステムが、インターネット上でそれぞれのユーザーのプロファイルを管理する為に真のプラットフォームを提供できることが理解できる。
【０１４９】
インタフェースは、獲得ユニット（１）により、中心で取り込まれたスキャン画像と、ユーザーそれぞれがその側でアクセスできる様々なサービスを示している。
【０１５０】
それぞれのユーザーは、自身がオンラインで購入予定のアイテムを試すことができる自身の仮想試着室にアクセスする為のグラフィカルインタフェースを使用することができる。
【０１５１】
上述されているように、本発明に係るシステムにはファッション分野における議論の余地のない利点がある。
【０１５２】
あるユーザーがオンラインで衣服を購入する予定の場合、自身は店のウェブサイトに入り、その衣服を選択し、本発明に係るシステムのプライベートエリアの仮想試着室内で衣服を試着できる。
【０１５３】
オンライン・ストア・ウェブサイトまたは、それにアクセスする為に使用されるブラウザに、適切な制御部、例えばボタンを設けることができる。前記制御部は、ボタンを押すだけで、ユーザーが自身のプライベートエリアに興味ある衣服を集めることを可能にする。
【０１５４】
ユーザーが自身のプライベートエリアにアクセスするとすぐに、自身が選択したアイテムを見つけ出し、それらを仮想試着室内で試みることができる。
【０１５５】
あるいは、または、加えて、さらにユーザーへのロイヤリティをさらに増大させる為に、ユーザーがあるアイテムを試着し、実際の店舗で以前に購入し他のアイテムと合わせることで、例えば、ＱＲコード（登録商標）が印刷されているチケットを使用することで、長い列と時間の浪費を回避できることが想定され得る。
【０１５６】
この異なる実施形態により、ユーザーがサイズの懸念なしに直接アイテムを購入できることは特に明らかである。
【０１５７】
本発明に係るシステムの一実施形態によれば、ユーザーの身体の所定のパラメータを計算する為のアルゴリズムを提供することが可能である。
【０１５８】
したがって、使用されるべきサービスに応じて、自動的に身体パラメータまたは尺度を計算する為のアルゴリズムを提供され得る。
【０１５９】
例えば、仮想テンプレートを基に衣服のサイズを自動的に決定し、好ましくはそれぞれの国で同等のサイズを視覚化する為のアルゴリズムが提供される。
【０１６０】
したがって、オンラインで、服を購入する時、ユーザーは、インタフェースのスクリーン上で視覚化される（例えば、アメリカ、フランス、英国、あるいはイタリア）の同等のサイズの中から選択し、遅れなしに衣服を購入できる。
【０１６１】
その利点はオンライン・ショッピングに限られていない。１つの代替案として、ユーザーは興味ある衣服を選択もしくは単に特定し、そのシステムは自動的にその衣服で要求されたサイズを決定し、次に、ユーザーは店へ脚を運び、そのシステムより決定されたサイズを選択し、試着する必要なしに衣服の代金を支払う。
【０１６２】
計算されたパラメータには例えば、手脚の長さ、頭周り、ウエスト周りや体重が含まれる。
【０１６３】
この態様は、着用可能な衣服がユーザーの身体の仮想テンプレートにどのようにして適合するのかを評価できる為、特に都合が良い。
【０１６４】
図６に示されるグラフィカルインタフェースを特に参考にして、アバターに対しての右側にあるセクション「人々」において、様々なソーシャルネットワーク・ウェブサイトにアクセスすることができることに留意されたい。
【０１６５】
アバターに対して最も右上側にあるセクション「店」では、様々なオンライン・ショッピング・サービスにアクセスすることができる。
【０１６６】
特に、ある1つの工程は、ユーザーの身体の仮想テンプレートに着用可能なアイテムがどのように適合するかを評価する為の工程が含まれ得る。
【０１６７】
このように、そのシステムは、自動的に例えばユーザーのサイズを決定することができ、また、ユーザーはセクション「店」にアクセスし、自身のサイズを利用可能な多くのアイテムを視覚化することができる。
【０１６８】
さらに、一旦着用可能なアイテムが選択されれば、そのアイテムが衣服であれ医療用人口装具であれ、本発明に係るシステムは、ユーザーのアバターにその衣服を合わせることができる、つまり、アイテムをモデル化することで、アバターに衣服を着用させることができる。
【０１６９】
明らかに、図６に示されるグラフィカルインタフェースは、スマートフォン、タブレット端末といったポータブルデバイスでの使用に合う大きさにすることができる。
【図１】
2020524813.tif 000003
【図２】
2020524813.tif 000004
【図３】
2020524813.tif 000005
【図４】
2020524813.tif 000006
【図５ａ】
2020524813.tif 000007
【図５ｂ】
2020524813.tif 000008
【図５ｃ】
2020524813.tif 000009
【図５ｄ】
2020524813.tif 000010
【図６】
2020524813.tif 000011
2020524813.tif 000012
【国際調査報告】
2020524813.tif 000013
2020524813.tif 000014